(57)【特許請求の範囲】
【請求項１】
識別情報を変動表示させる回転リールを有する変動表示装置を備えた遊技機内に敷設される配線の少なくとも一部を保持可能な配線保持構造であって、
上記変動表示装置を、遊技機の前面枠の略中央に開口された開口窓部より臨むように遊技機本体内に配設し、
上記開口窓部の左右裏面側には、当該開口窓部の端部から回転リールの表面までの距離よりも大きい高さで一対の側壁をそれぞれ起立形成し、
上記側壁の少なくとも一方の後端部には、前面枠の裏面に対して略平行に所定幅で開口窓部の外側に向けて配線規制部を延設し、
上記側壁の外側には、装飾ランプの電球を収納する区画を形成し、
上記装飾ランプを備えるランプ基板がその一側面を上記側壁に当接させ、かつ、上記区画内に電球が入るように取り付け、
上記側壁および上記配線規制部によって形成される領域に、前面枠の上下方向に敷設される配線を挿通させることで、上記ランプ基板に電球が装着される側の裏側に突出される電球のソケット部が、上記側壁と対向する状態で配線の位置を規制すると共に、上記ランプ基板が、上記配線規制部と対向する状態で配線を保持するようにしたことを特徴とする遊技機の配線保持構造。
【発明の詳細な説明】
【０００１】
【発明の属する技術分野】
本発明は、遊技機内の上下方向等に敷設される配線の少なくとも一部を保持可能な配線保持構造に関する。
【０００２】
【従来の技術】
スロットマシン等の遊技機においては、図１に示すように遊技機本体Ｙ内に収納されている回転リールＲ等からなる変動表示装置４００が遊技者に視認できるように、本体Ｙの前面側に設けられる前面枠３００に、変動表示装置４００の表示部分が臨むように開口窓部（変動表示エリア）１００が設けられている。
【０００３】
また、開口窓部１００の左右には、賞ライン表示用の装飾ランプ２００ａや遊技状態表示用の装飾ランプ２００ｂが設けられている。前面枠３００の裏側には、開口窓部１００の左右に対応して、装飾ランプ２００の電球を収納する凹状のランプ収納区画が形成され、各電球がそのランプ収納区画内に納まるように電球を配設したランプ基板を取り付けるようになっている。
【０００４】
また、前面枠３００の表側には、ベットスイッチ（賭け用スイッチ）５０１，回転リールの停止用スイッチ５０２，精算用スイッチ５０３の操作ボタンがそれぞれ配置されている。また、開口窓部１００の上方には、大当り等の状態を表示する補助表示器２０１や装飾ランプ２０２が配設されている。
【０００５】
【発明が解決しようとする課題】
ところで、上記のようなスロットマシンの前面枠の裏面側に、ランプ基板に接続される配線、前記各種のスイッチ（ベットスイッチ，回転リールの停止用スイッチ，精算用スイッチ）、補助表示器等に接続される配線など、多数の配線が縦横に巡らされている。
【０００６】
そして、このような多数の配線を整理して遊技機本体内に収納される遊技制御装置に接続するために、前面枠の裏面の開口窓部の上方に中継基板を設けている。そのため、上記前面枠に設けられる全ての配線を、この中継基板の端子に接続しなければならないが、前面枠の略中央には開口窓部があるので、この開口窓部を迂回して配線を引き回す必要がある。
【０００７】
しかし、開口窓部の片側裏面を示す図９（ａ）やそのＢ−Ｂ線に沿った断面を示す図９（ｂ）のように、開口窓部１００の左右には狭いスペースＳしかないため、多数の配線Ｃ’をこのスペースＳに通すと、前面枠３００の外側に配線コードＣ’がはみ出してしまうという不都合があった。このように前面枠３００の外側に配線コードＣ’がはみ出た状態で、前面枠３００の開け閉めを繰り返し行うと配線コードが挟まれて断線を生じ、遊技機の故障の原因となるという問題を生じる。また、遊技機からはみ出した配線コードが見えてしまうと美観を損なうという問題もある。
【０００８】
また、開口窓部の左右のスペースＳにおける配線Ｃ’の納まりが良くないため、配線コードが前面枠３００の裏面から浮いた状態となり、遊技店の店員等がメダル補給作業等を行うために前面枠３００を開いた際に、配線コードに手を引っかけて、配線を抜いてしまうおそれがあり、作業性やメンテナンス性に劣るという問題もあった。
【０００９】
また、特にスロットマシンにおいては、回転リールＲの停止ボタン５０２を遊技者が押す際に、遊技機本体に振動が加えられる場合が多く、この振動によりブラついた状態にある配線Ｃ’は装飾ランプ基板Ｌのエッジ等と擦れ合って被覆が破れたり、断線したりするおそれもあった。
【００１０】
さらに、従来においては、図９（ｂ）に示すように、開口窓部の左右のスペースＳと開口窓部１００とを仕切る仕切壁３０１の高さには特に意が払われないことが多かったため、この仕切壁３０１と回転リールＲの側部との間に隙間が生じており、その隙間から遊技機内部の配線Ｃ’や内部機構などが遊技者の目Ｅに見えてしまい、遊技機の内部構造が知られてしまうことにより不正行為を助長するなどセキュリティー上の問題を生じ、かつ遊技機の美観を損なうという問題があった。
【００１１】
本発明は上述のような問題点に鑑みなされたもので、前面枠の裏側に敷設される配線を簡易な構成で確実に保持することができ、しかも配線や内部構造を遊技者の目に触れさせないようにできる遊技機の配線保持構造を提供することを目的とする。
【００１２】
【課題を解決するための手段】
上記目的を達成するため本発明は、識別情報を変動表示させる回転リールを有する変動表示装置を備えた遊技機内に敷設される配線の少なくとも一部を保持可能な配線保持構造であって、上記変動表示装置を、遊技機の前面枠の略中央に開口された開口窓部より臨むように遊技機本体内に配設し、上記開口窓部の左右裏面側には、当該開口窓部の端部から回転リールの表面までの距離よりも大きい高さで一対の側壁をそれぞれ起立形成し、上記側壁の少なくとも一方の後端部には、前面枠の裏面に対して略平行に所定幅で開口窓部の外側に向けて配線規制部を延設し、上記側壁の外側には、装飾ランプの電球を収納する区画を形成し、上記装飾ランプを備えるランプ基板がその一側面を上記側壁に当接させ、かつ、上記区画内に電球が入るように取り付け、上記側壁および上記配線規制部によって形成される領域に、前面枠の上下方向に敷設される配線を挿通させることで、上記ランプ基板に電球が装着される側の裏側に突出される電球のソケット部が、上記側壁と対向する状態で配線の位置を規制すると共に、上記ランプ基板が、上記配線規制部と対向する状態で配線を保持するようにした。
【００１３】
このように、側壁と、配線規制部と、ランプ基板とによって形成される領域に、前面枠の上下方向に敷設される配線を保持することができ、配線が前面枠の外側にはみ出たり、浮き上がったりすることが防止され、配線の断線等の発生を有効に防ぐことができる。
【００１４】
また、ランプ基板の一側面を側壁に当接させて取り付けているので、ランプ基板の位置決めをし易くなるという利点もある。
【００１５】
さらに、変動表示装置の左右の側壁との間に隙間が生じないため、従来のように配線や内部機構が遊技機の外部から覗かれるという不都合を解消することができる。
【００１９】
【発明の実施の形態】
以下、本発明の好適な実施の形態を図面に基づいて説明する。
【００２０】
図１は本実施形態に係る配線保持構造を適用して有効な遊技機の一例としてのスロットマシンの前面枠の正面図、図２は該スロットマシンの前面枠の裏面図、図３は配線保持部における装飾ランプ基板の取付状態を示す分解斜視図、図４は配線保持部において装飾ランプ基板を取り付けた状態を示す斜視図、図５は前面枠の上部ユニットの全体を示す斜視図、図６は配線保持部の端面図およびＡ−Ａ線断面図である。
【００２１】
図１において、スロットマシン本体Ｙの前面枠３００の略中央部には、回転リールＲ等から成る変動表示装置４００が遊技者に視認可能に、変動表示装置４００の表示部分を臨ませる開口窓部（変動表示エリア）１００が設けられている。また、開口窓部１００の左右には、賞ライン表示用の装飾ランプ２００ａや遊技状態表示用の装飾ランプ２００ｂが設けられている。ここで、変動表示エリアやその周縁の装飾ランプ表示エリアは遊技領域を形成する。なお、前面枠３００は図５に示すような上部ユニット３００ａと下部ユニット（図示省略）とから構成されている。
【００２２】
上部ユニット３００ａの裏側において、開口窓部１００の左右には、側壁１０１が所定の高さ（例えば、３０ｍｍ）で裏面側に起立し、その左右の側壁１０１の後端部には、それぞれ前面枠３００の裏面に対して略平行に所定幅（例えば１０ｍｍ）で前面枠３００の外側に向けて延設される配線規制部１０２が形成されている。なお、側壁１０１の高さは、図７に示すように、回転リールＲを側方から見た状態で、開口窓部１００の端部と回転リールＲの表面との距離ｈよりも高く成るように設定されている。また、本実施形態では、配線Ｃの確認の容易性や、配線Ｃの係脱の容易性を図るために、各配線規制部１０２には、切り込み部１０２ａが形成されている。
【００２３】
また、左右の各側壁１０１の側部には、図３に示すように、装飾ランプ２００ａ，ｂの電球２１０を収納する凹状のランプ収納区画３１０が複数形成されている。そして、ランプ収納区画３１０の背部には、電球２１０を装着するソケット部６００を有したランプ基板Ｌが取り付けられるようになっている。より具体的には、ランプ基板Ｌの側部に位置決め用の切欠部６０１が４箇所形成され、ランプ収納区画３１０の上方には、この切欠部６０１と係合される位置決め用のダボ３１１が４つ形成されている。また、ランプ基板Ｌにはネジ穴６０２が穿設され、ランプ収納区画３１０には該ネジ穴６０２と対応する位置にネジ受部３１２が形成されている。そして、ランプ基板Ｌの一側部を側壁１０１に当接させ、かつ、位置決め用の切欠部６０１をダボ３１１に係合させた状態で、ビスネジＢをねじ込んで固定することにより、図４に示すようにランプ基板Ｌが上部ユニット３００ａに取り付けられた状態となる。
【００２４】
これにより、図６（ｂ）に示すように、側壁１０１と、配線規制部１０２と、ランプ基板Ｌとによって囲まれた領域Ｈに配線Ｃが挿通されている（以下、領域Ｈを配線保持領域という）。このとき、図６（ａ），（ｂ）を参照すれば理解されるように、ランプ基板Ｌに設けられたソケット部６００がランプ基板Ｌの上面側に突出しているため、このソケット部６００も配線Ｃが配線保持領域Ｈから外側へはみ出るのを防ぐ役割を果たす。
【００２５】
この配線保持領域Ｈに保持される配線Ｃは、前面枠３００の裏面において上下方向に敷設される配線全部とすることができる。例えば、図１，図２に示すように前面枠３００に設けられるベットスイッチ（賭け用スイッチ）５０１，回転リールの停止用スイッチ５０２，精算用スイッチ５０３のスイッチや下部装飾ランプ７００等から延設され、開口窓部１００の上方に設けられる中継基板８００に接続される配線コード等がこれに該当する。これらの配線Ｃは、一旦束ねられた上で、配線保持領域Ｈに押し込まれることにより、図６（ａ），（ｂ）に示すように、側壁１０１に沿った状態で保持される。即ち、配線Ｃの上方への浮き上がりは配線規制部１０２により防止され、前面枠３００の外側へのはみ出しは、ランプ基板Ｌのソケット部６００によって防止される。なお、配線Ｃを配線保持領域Ｈに押し込む際に、切り込み１０２ａ（図４参照）に指を入れて配線規制部１０２をずらしてやることで容易かつ確実に配線Ｃを収納させることができる。また、図８に示すように、配線規制部１０２の下面側に配線Ｃの逸脱を防ぐ係止爪１０２ｂを形成するならばより確実に配線Ｃを保持させることができる。
【００２６】
このように本実施形態に係る配線保持構造によれば、簡易な構成で確実に配線を保持することができ、配線が前面枠からはみ出たり浮き上がったりする事態が防止され、断線等の発生を抑制することができる。
【００２７】
また、開口窓部１００に回転リールＲ等で構成される変動表示装置４００を臨ませて取り付けた際に、図７に示すように、回転リールＲを側方から見た状態で、開口窓部１００の端部と回転リールＲの表面との距離ｈよりも高く成るように側壁１０１の高さが設定されているので、従来のように変動表示装置４００と側壁１０１との間の隙間から配線Ｃや遊技機の内部機構が遊技者に覗かれてしまうことを防止できる。
【００２８】
なお、本実施形態では、開口窓部の左右の側壁において配線保持領域Ｈを形成する場合について説明したが、これに限られず片側の側壁のみに配線保持領域Ｈを形成するようにしてもよい。また、開口窓部の左右の側壁に限らず開口窓部の上方および下方に側壁を設けて前面枠の左右方向に敷設される配線を保持するようにしてもよい。
【００２９】
また、本実施形態では、スロットマシンに配線保持構造を適用する場合について述べたが、これに限定されるものではなく、回転リール型変動表示装置を有するパチスロ機やパチンコ遊技機等に適用することも可能である。
【００３０】
以上本発明者によってなされた発明を実施形態に基づき具体的に説明したが、本明細書で開示された実施の形態はすべての点で例示であって開示された技術に限定されるものではないと考えるべきである。すなわち、本発明の技術的な範囲は、上記の実施形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００３１】
【発明の効果】
以上述べたように、本発明によれば、識別情報を変動表示させる回転リールを有する変動表示装置を備えた遊技機内に敷設される配線の少なくとも一部を保持可能な配線保持構造であって、上記変動表示装置を、遊技機の前面枠の略中央に開口された開口窓部より臨むように遊技機本体内に配設し、上記開口窓部の左右裏面側には、当該開口窓部の端部から回転リールの表面までの距離よりも大きい高さで一対の側壁をそれぞれ起立形成し、上記側壁の少なくとも一方の後端部には、前面枠の裏面に対して略平行に所定幅で開口窓部の外側に向けて配線規制部を延設し、上記側壁の外側には、装飾ランプの電球を収納する区画を形成し、上記装飾ランプを備えるランプ基板がその一側面を上記側壁に当接させ、かつ、上記区画内に電球が入るように取り付け、上記側壁および上記配線規制部によって形成される領域に、前面枠の上下方向に敷設される配線を挿通させることで、上記ランプ基板に電球が装着される側の裏側に突出される電球のソケット部が、上記側壁と対向する状態で配線の位置を規制すると共に、上記ランプ基板が、上記配線規制部と対向する状態で配線を保持するようにしたので、側壁と、配線規制部と、ランプ基板とによって形成される領域に、前面枠の上下方向に敷設される配線を保持することができ、配線が前面枠の外側にはみ出たり、浮き上がったりすることが防止され、配線の断線等の発生を有効に防ぐことができるという効果がある。
また、ランプ基板の一側面を側壁に当接させて取り付けているので、ランプ基板の位置決めをし易くなるという効果もある。
さらに、変動表示装置の左右の側壁との間に隙間が生じないため、従来のように配線や内部機構が遊技機の外部から覗かれるという不都合を解消することができるという効果がある。
【図面の簡単な説明】
【図１】本実施形態に係る配線保持構造を適用した遊技機の一種としてのスロットマシンの前面枠の構成を示す正面図である。
【図２】本実施形態に係る配線保持構造を適用した遊技機の一種としてのスロットマシンの前面枠の裏面の構成を示す裏面図である。
【図３】配線保持部における装飾ランプ基板の取付状態を示す分解斜視図である。
【図４】配線保持部において装飾ランプ基板を取り付けた状態を示す斜視図である。
【図５】前面枠の上部ユニットの全体を示す斜視図である。
【図６】配線保持部の端面図およびＡ−Ａ線断面図である。
【図７】側壁の高さの基準を説明する説明図である。
【図８】側壁の他の構成を示す断面図である。
【図９】従来の配線保持部の例を示す平面図およびＢ−Ｂ線断面図である。
【符号の説明】
Ｙ        遊技機（スロットマシン）
１００    開口窓部
Ｈ        配線保持領域
１０１    側壁
１０２    配線規制部
１０２ａ  切欠部
１０２ｂ  係止爪
Ｃ，Ｃ’  配線
２００ａ，２００ｂ  装飾ランプ
２０１    補助表示器
２０２    装飾ランプ
２１０    電球
３００    前面枠
３００ａ  上部ユニット
３１０    ランプ収納区画
３１１    位置決め用ダボ
３１２    ネジ受部
４００    変動表示装置
Ｒ        回転リール
５０１    ベットスイッチ
５０２    回転リールの停止用スイッチ
５０３    精算用スイッチ
Ｌ        ランプ基板
６００    ソケット部
６０１    位置決め用切欠部
６０２    ネジ穴
Ｂ        ビスネジ
７００    下部装飾ランプ
８００    中継基板
【図１】
0003976300.tif 000002
【図２】
0003976300.tif 000003
【図３】
0003976300.tif 000004
【図４】
0003976300.tif 000005
【図５】
0003976300.tif 000006
【図６】
0003976300.tif 000007
【図７】
0003976300.tif 000008
【図８】
0003976300.tif 000009
【図９】
0003976300.tif 000010